(57)【要約】  意匠性を損なうことなく、耐衝撃性に優れた携帯型電子機器を提供する。本発明の一形態に係る携帯型電子機器（１）は、デバイス（例えばスピーカ（５））が内蔵される筐体（２）と、デバイスを覆う被覆部材（６）と、筐体（２）に形成された突出部（２５）と、被覆部材（６）を保護する保護部材（７）と、を備え、保護部材（７）は、被覆部材（６）より突出し、且つ突出部（２５）と略等しい高さに形成されている。このとき、突出部（２５）は、筐体（２）の向かい合う縁部に形成され、保護部材（６）は、突出部（２５）の間に配置されることが好ましい。
2012111056.tif 000002
【特許請求の範囲】
【請求項１】
デバイスが内蔵される筐体と、
前記デバイスを覆う被覆部材と、
前記筐体に形成された突出部と、
前記被覆部材を保護する保護部材と、
を備え、
前記保護部材は、前記被覆部材より突出し、且つ前記突出部と略等しい高さに形成されている携帯型電子機器。
【請求項２】
前記突出部は、前記筐体の向かい合う縁部に形成され、
前記保護部材は、前記突出部の間に配置されている請求項１に記載の携帯型電子機器。
【請求項３】
前記被覆部材は、前記筐体の縁部近傍に配置され、
前記保護部材は、前記被覆部材が配置された前記筐体の縁部に配置されている請求項１又は２に記載の携帯型電子機器。
【請求項４】
前記デバイスは、スピーカ又はセンサ又は光源である請求項１乃至３のいずれか１項に記載の携帯型電子機器。
【請求項５】
前記保護部材は、ラウンド面を備える請求項１乃至４のいずれか１項に記載の携帯型電子機器。
【請求項６】
前記保護部材は、前記筐体に固定されており、
前記保護部材のラウンド面は、前記筐体の側面と連続するように形成されている請求項５に記載の携帯型電子機器。
【請求項７】
デバイスが内蔵される筐体と、
前記デバイスを覆う被覆部材と、
前記筐体に形成された突出部と、
前記被覆部材を保護する保護部材と、
を備える携帯型電子機器を形成し、
前記保護部材は、前記被覆部材より突出し、且つ前記突出部と略等しい高さに形成する携帯型電子機器の保護方法。
【発明の詳細な説明】
【技術分野】
【０００１】
本発明は、携帯型電子機器及び携帯型電子機器の保護方法に関する。
【背景技術】
【０００２】
携帯型電子機器として、携帯電話機、タブレット端末、デジタルカメラ、ノートパソコン、ＰＤＡ（Personal Digital Assistants）、ポータブルＤＶＤ（Digital Versatile Disk）プレーヤー、ポータブル音楽プレーヤー、ポータブルテレビ等がある。【０００３】
携帯型電子機器の一種である携帯電話機は、例えば図５に示すような構成とされている。つまり、図５に示す携帯電話機１００は、筐体２００の前部にスピーカ（図示を省略）を内蔵しており、当該スピーカ近傍に各種のセンサ（加速度センサやジャイロセンサ等）３００、ＬＥＤ（Light Emitting Diode）等の光源４００等を内蔵している。【０００４】
これらのスピーカやセンサ３００、光源４００等のデバイスは、筐体２００の上方から被覆部材５００で覆われる。そして、筐体や被覆部材５００は、スピーカの音を外部に伝搬するために開口部５１０を有する。このような被覆部材５００は、スピーカやセンサ３００の性能確保、光源４００からの出射光の透過率確保等の観点から、比較的柔軟な部材で構成される。
そのため、万一に携帯電話機１００を落下させた際に被覆部材５００が損傷しないように、筐体２００の周縁部をソフトケース６００で覆う等の対策が講じられる。【０００５】
ところで、携帯型電子機器の筐体に突出部を形成する技術が、特許文献１〜３に開示されている。
特許文献１では、筐体の開口部側を下方にして携帯型電子機器を机などに載置した際に、音が外部に伝搬するように、筐体に突出部を形成している。
特許文献２では、使用者が受話するために筐体の開口部に耳を近づけた際に、筐体への耳の接触を軽減するために、筐体に突出部を形成している。
特許文献３では、携帯型電子機器を落下させた際に損傷しないように、筐体の端部に軟質弾性体から成る突出部を形成している。
【先行技術文献】
【特許文献】
【０００６】
【特許文献１】特開２０１０−２５１９４７号公報
【特許文献２】特開平５−２２３８９号公報
【特許文献３】特開平５−３７６１７号公報
【発明の概要】
【発明が解決しようとする課題】
【０００７】
図５に示すように、筐体２００の周縁部を別途ソフトケースで覆う場合、携帯型電子機器の意匠性が損なわれる。
また、特許文献１〜３の突出部のように、筐体から一部分だけ突出させる構成でも、やはり携帯型電子機器の意匠性が損なわれる。【０００８】
本発明の目的は、上述した課題を解決する携帯型電子機器及び携帯型電子機器の保護方法を提供することにある。
【課題を解決するための手段】
【０００９】
本発明の一形態に係る携帯型電子機器は、デバイスが内蔵される筐体と、前記デバイスを覆う被覆部材と、前記筐体に形成された突出部と、前記被覆部材を保護する保護部材と、を備え、前記保護部材は、前記被覆部材より突出し、且つ前記突出部と略等しい高さに形成されている。【００１０】
本発明の一形態に係る携帯型電子機器の保護方法は、デバイスが内蔵される筐体と、前記デバイスを覆う被覆部材と、前記筐体に形成された突出部と、前記被覆部材を保護する保護部材と、を備える携帯型電子機器を形成し、前記保護部材は、前記被覆部材より突出し、且つ前記突出部と略等しい高さに形成する。
【発明の効果】
【００１１】
本発明によれば、意匠性を損なうことなく、耐衝撃性に優れた携帯型電子機器及び携帯型電子機器の保護方法を提供することができる。
【図面の簡単な説明】
【００１２】
【図１】本発明の実施の形態に係る携帯型電子機器を概略的に示す斜視図である。
【図２】本発明の実施の形態に係る携帯型電子機器を概略的に示す部分断面図である。
【図３】本発明の実施の形態に係る携帯型電子機器の表示部を下側にして当該携帯型電子機器を机などに載置した状態を示す図である。
【図４】本発明の実施の形態に係る携帯型電子機器を使用者の耳に近付けた状態を示す図である。
【図５】関連する携帯型電子機器を概略的に示す部分平面図である。
【発明を実施するための形態】
【００１３】
本発明の実施の形態に係る携帯型電子機器及び携帯型電子機器の保護方法について説明する。但し、本発明が以下の実施の形態に限定される訳ではない。また、説明を明確にするため、以下の記載及び図面は、適宜、簡略化されている。なお、以下の記載及び図面での上下方向、左右方向、前後方向は説明を明確にするために定義付けしたものであって、使用形態によって変更される。
【００１４】
本実施の形態に係る携帯型電子機器は、図１に示すように携帯電話機１である。携帯電話機１は、図２に示すように、筐体２、タッチパネルや液晶ディスプレイ等を有する表示部３、タッチパネルの操作に応じて表示部３を制御したり、通信を実現したりする制御部４等を備える。
【００１５】
筐体２は、図１に示すように、第１の筐体２１、第２の筐体２２を備える。第１の筐体２１は、筐体の下蓋として機能する。第１の筐体２１には、図２に示すように、表示部３、制御部４等が搭載される。第１の筐体２１の後部には、図示を省略したマイクが搭載されている。一方、第１の筐体２１の前部には、スピーカ５が搭載されている。
【００１６】
本実施の形態のスピーカ５は、第１の筐体２１の前部における左右方向の略中央位置に配置されている。第１の筐体２１の前部におけるスピーカ５の近傍には、図示を省略したが、他のデバイスとして各種のセンサや光源が搭載されている。
【００１７】
第２の筐体２２は、筐体の上蓋として機能する。つまり、第２の筐体２２は第１の筐体２１と上下方向に重ねられてボルト等の固定部材によって固定される。
第２の筐体２２は、平面から見て略中央部分に、表示部３を露出させるための開口部２３が形成されている。つまり、第２の筐体２２における表示部３の周辺には、枠部２４が形成されている。結果として、枠部２４の前部の下方領域には、図２に示すように、スピーカ５やセンサ、光源等が配置されることになる。そのため、枠部２４の前部は、スピーカ５やセンサが良好に機能でき、且つ光源からの出射光が良好に透過するように構成される。また、枠部２４の前部は、後述する保護部材７の一部を収めて当該保護部材７を固定できるように、凹み部２４ａが形成されている。凹み部２４ａは、具体的な図示を省略するが、例えば前面から見てコの字状であって、且つ平面から見てもコの字状に形成される。そして、凹み部２４ａは、例えば側面から見てＬ字形状に形成される。
【００１８】
枠体２４の後部には、図１に示すように、マイクに音が伝搬されるように複数の開口部２８が形成されている。一方、枠体２４の前部には、図２に示すように、スピーカ５の音が外部に伝搬されるように開口部２９が形成されている。
【００１９】
枠部２４の前部から前側面までは、連続して被覆部材６によって覆われている（図１及び図３の斜線部分）。つまり、平面から見ると、スピーカ５やセンサ、光源等のデバイスが配置されている領域が被覆部材６によって覆われることになる。
【００２０】
被覆部材６は、スピーカ５やセンサが良好に機能でき、且つ光源からの出射光が良好に透過するように、比較的柔軟な部材（例えばアクリル部材等）で構成される。被覆部材６には、スピーカ５から出力される音が外部に伝搬されるように開口部６１が形成されている。この開口部６１は、第２の筐体２２の開口部２９と連通している。また、被覆部材６は、後述する保護部材７を配置するための切り欠き部６２が形成されている。
【００２１】
このような第１の筐体２１及び第２の筐体２２には、突出部２５が形成されている。詳細には、突出部２５は、図３に示すように、第１の部分２６、第２の部分２７を有する。第１の部分２６は、図１に示すように、枠部２４における当該開口部２３を挟んだ左右両縁部及び後側縁部に連続するように形成されている。また、第２の部分２７は、図３に示すように、第１の筐体２１並びに第２の筐体２２の前側面の左右両縁部及び第１の筐体２１の下側縁部に連続するように形成されている。これらの第１の部分２６及び第２の部分２７は、連続するように形成されている。つまり、第１の部分２６及び第２の部分２７は、環状に形成されている。
【００２２】
第１の部分２６は、表示部３より上方に突出している。また、第２の部分２７は、後述する被覆部材６より前方に突出している。詳細には、第１の部分２６の高さは、携帯電話機１の表示部３側を下側にして当該携帯電話機１を机などに載置した際に、表示部３が載置面に接触しない高さに設定されている。また、第２の部分２７は、携帯電話機１を前側から落下させた際に、被覆部材６が落下面に接触しない高さに設定されている。
【００２３】
但し、第１の部分２６及び第２の部分２７は、携帯電話機１の表示部３側を下側にして当該携帯電話機１を机などに載置した際、又は携帯電話機１を前側から落下させた際に、表示部３や後述する被覆部材６が載置面や落下面に接触しない配置、形状とされていれば良い。
【００２４】
保護部材７は、図１及び図２に示すように、被覆部材６の開口部６１の前方部分であって、筐体２の前側縁部における左右方向の略中央位置に配置されている。保護部材７は、被覆部材６の切り欠き部６２及び枠体２４の凹み部２４ａ内に収められており、当該凹み部２４ａ及び被覆部材６、第１の筐体２１で固定されている。
【００２５】
この保護部材７は、図３に示すように、表示部３側を下方に向けて携帯電話機１を机などに載置した際や携帯電話機１を前側から落下させた際に、表示部３や被覆部材６が載置面や落下面に接触しないように、突出部２５の第１の部分２６又は第２の部分２７と共に載置面や落下面に接触する形状とされている。つまり、保護部材７は、被覆部材６より突出し、且つ第１の部分２６又は第２の部分２７と略等しい高さに設定されている。
【００２６】
そして、保護部材７は、第１の部分２６又は第２の部分２７と共に載置面や落下面に接触した際に、携帯電話機１が揺動しない幅寸法に設定されている。また、保護部材７は、第１の部分２６又は第２の部分２７と共に載置面や落下面に接触した際に、変形して被覆部材６が載置面や落下面に接触しない材質から成る。例えば保護部材７は、プラスチック樹脂やエラストマー材等から成る。
【００２７】
これにより、携帯電話機１の表示部３側を下方に向けて当該携帯電話機１を机などに載置した際、又は携帯電話機１を前側から落下させた際に、保護部材７及び突出部２５が載置面や落下面に接触するので、被覆部材６が載置面や落下面に直接に接触することがない。そのため、被覆部材６の損傷を防ぐことができ、ひいては携帯電話機１の耐衝撃性を向上させることができる。
【００２８】
しかも、保護部材７の高さは第１の部分２６又は第２の部分２７の高さと略等しいので、保護部材７のみが突出して目立つことがないので、携帯電話機１全体の意匠性を維持することができる。
【００２９】
また、使用者が受話するために第２の筐体２２の開口部６１に耳を近づけた際に、図４に示すように、保護部材７が耳に接触して、耳で開口部６１を塞ぐことがなく、耳とスピーカ５との間の空間の防塞性を図ることができる。そのため、スピーカ５からの音が良好に外部に伝搬されて耳に届く。また、防塞性を図るために、例えば開口部６１近傍に凹み部を形成する必要が殆ど無く、携帯電話機１の意匠性を向上させることができる。
【００３０】
ここで、保護部材７の具体的な形状を説明する。保護部材７の外周部には、図１及び図２に示すように、左右方向に略水平であって、前後方向に湾曲するラウンド面７１が形成されている。このラウンド面７１は、第１の筐体２１の前側面と略連続するように形成されている。また、保護部材７の内周部には、当該保護部材７を良好に枠部２４の凹み部２４ａ内の上面に載置できるように段差部７２が形成されている。そして、保護部材７の上端部には、後方に湾曲する板状部７３が形成されている。この板状部７３の先端部は、保護部材７を固定する際に被覆部材６の前側面に押し当てられる。このとき、板状部７３は、板バネとして機能する。また、保護部材７の下端部には、第１の筐体２１の側部に形成された嵌合溝３０に嵌め込まれる嵌合爪７４が形成されている。
【００３１】
このような保護部材７を筐体２に固定する際には、先ず板状部７３の先端部を被覆部材６の前側面に押し当てつつ、当該保護部材７を下方に移動させ、保護部材７の一部を枠部２４の凹み部２４ａ内に収めて、保護部材７の段差部７２を枠部２４の凹み部２４ａ内の上面に載置すると共に、保護部材７の嵌合爪７４を第１の筐体２１の嵌合溝３０に嵌め込む。これにより、保護部材７の上端部は被覆部材６で拘束され、保護部材７の下端部は第１の筐体２１に拘束される。さらに保護部材７の左右側部はそれぞれ枠体２４の凹み部２４ａ内の左右側面に拘束される。そのため、保護部材７を簡単に筐体２に固定することができる。
しかも、使用者が受話するために第２の筐体２２の開口部６１に耳を近づけた際に、図４に示すように、保護部材７が耳に接触しても、保護部材７の外周部はラウンド面を有するので、使用者の不快感を低減することができる。
【００３２】
本発明は上記実施の形態に限られたものではなく、趣旨を逸脱しない範囲で適宜変更することが可能である。
【００３３】
上記実施の形態では、携帯型電子機器として携帯電話機の例を示したが、この限りでない。すなわち、携帯型電子機器として、携帯電話機、タブレット端末、デジタルカメラ、ノートパソコン、ＰＤＡ（Personal Digital Assistants）、ポータブルＤＶＤ（Digital Versatile Disk）プレーヤー、ポータブル音楽プレーヤー、ポータブルテレビ等を用いても、略同様に実施することができる。
【００３４】
上記実施の形態では、保護部材７を筐体２の縁部に配置したが、被覆部材６を良好に保護することができる位置であれば配置位置は限定されない。
【００３５】
上記実施の形態では、保護部材７と筐体２とを別部材として構成しているが、一体的に構成しても良い。
【００３６】
上記実施の形態では、デバイスとしてスピーカ５及びセンサ、光源を搭載しているが、この限りでない。デバイスとしては一般的に被覆部材６の下方領域に配置される装置であれば良い。
【００３７】
この出願は、２０１１年２月１５日に出願された日本出願特願２０１１−２９８０２を基礎とする優先権を主張し、その開示の全てをここに取り込む。
【産業上の利用可能性】
【００３８】
本発明は、携帯電話機、タブレット端末、デジタルカメラ、ノートパソコン、ＰＤＡ（Personal Digital Assistants）、ポータブルＤＶＤ（Digital Versatile Disk）プレーヤー、ポータブル音楽プレーヤー、ポータブルテレビ等の携帯型電子機器に利用可能である。
【符号の説明】
【００３９】
１  携帯電話機
２  筐体、２１  第１の筐体、２２  第２の筐体
２３  開口部
２４  枠部
２４ａ  凹み部
２５  突出部、２６  第１の部分、２７  第２の部分
２８、２９  開口部
３０  嵌合溝
３  表示部
４  制御部
５  スピーカ
６  被覆部材、６１  開口部、６２  切り欠き部
７  保護部材、７１  ラウンド面、７２  段差部、７３  板状部、７４  嵌合爪
１００  携帯電話機
２００  筐体
３００  センサ
４００  光源
５００  被覆部材
５１０  開口部
６００  ソフトケース
【図１】
2012111056.tif 000003
【図２】
2012111056.tif 000004
【図３】
2012111056.tif 000005
【図４】
2012111056.tif 000006
【図５】
2012111056.tif 000007
【国際調査報告】
2012111056.tif 000008
2012111056.tif 000009